(57)【要約】      （修正有）【課題】基本的なマウスパッドの用途のほか、近距離無線通信（ＮＦＣ）タグを運用して各種異なる商品情報を書込み、商品マーケティングに用いることができる、マウスパッドを提供する。【解決手段】マウスパッド１は、主に、マウスパッド本体と近距離無線通信（ＮＦＣ）タグ１２と、上層構造体を含み、そのうち、近距離無線通信（ＮＦＣ）タグがマウスパッド本体表面に設置され、近距離無線通信（ＮＦＣ）タグ表面上に上層構造体が設置され、近距離無線通信（ＮＦＣ）タグを被覆し、近距離無線通信（ＮＦＣ）タグに商品情報、商品ウェブアドレスまたは関連商品サービス情報を書き込むことができるため、使用者はスマート携帯端末中のＮＦＣ読取り機能を通じて近距離無線通信（ＮＦＣ）タグを読取り、これによりスマート携帯端末に近距離無線通信（ＮＦＣ）タグ中の商品情報を表示させ、かつ商品に適合する関連ウェブページに直接リンクすることができる。【選択図】図１
0003220279.tif 000002
【実用新案登録請求の範囲】
【請求項１】
マウスパッドであって、マウスパッド本体を含み、その表面に少なくとも１つの近距離無線通信（ＮＦＣ）タグが設置され、該近距離無線通信（ＮＦＣ）タグの表面に上層構造体が設置され、かつ該近距離無線通信（ＮＦＣ）タグが被覆されることを特徴とする、マウスパッド。
【請求項２】
前記近距離無線通信（ＮＦＣ）タグに、商品情報、商品ウェブアドレスまたは関連商品サービス情報が書き込まれたことを特徴とする、請求項１に記載のマウスパッド。
【請求項３】
前記上層構造体に、該近距離無線通信（ＮＦＣ）タグに対応して設けられた識別構造体が設置されることを特徴とする、請求項１に記載のマウスパッド。
【請求項４】
前記識別構造体が、商品スタイル、模様、文字または色のいずれかを含むことを特徴とする、請求項３に記載のマウスパッド。
【考案の詳細な説明】
【技術分野】
【０００１】
本考案はマウスパッドに関し、特に、商品情報を有するマウスパッドに関する。
【背景技術】
【０００２】
社会の発展に伴い、商品マーケティングの方法もたくさんあるが、多くの事業主がマーケティング方式にテクノロジーを組み合わせ、手間を軽減して効果を高めている。現代人は毎日の仕事や学習でコンピューターを使用するため、マウスに組み合わせて使用するマウスパッドはよく見受けられるコンピューター周辺設備であり、現在の業者に最もよく見られる商品マーケティング方法は、関連の商品情報をマウスパッド上にプリントし、使用者に直接見えるようにする方法である。しかしながら、このような方法は明らかに商業化された情報を間接的にマウスパッドに具備させるため、美観が損なわれ、使用したがる人が多くなく、相対して商品宣伝効果も低い。また、使用したとしてもマウスが長期的にマウスパッド上で摺動されることで生じる磨損により商品情報がはっきり見えなくなり、商品マーケティングの効果が低下する。
【０００３】
以下の実施例において本考案の詳細な特徴および利点について詳細に説明する。その内容は当業者が本考案の技術内容を理解し、それに基づいて実施するに足り、かつ本明細書の開示する内容、特許請求の範囲および図面に基づき、当業者は本考案の関連の目的および利点を容易に理解できるであろう。
【考案の概要】
【考案が解決しようとする課題】
【０００４】
本考案の主な目的は、基本用途を備えたマウスパッドに、近距離無線通信（ＮＦＣ）タグの応用を通じて異なる商品情報を組み合わせ、商品マーケティングに用い、基本的なマウスパッドの機能に留まらず、マウスパッドの応用をより多元的にすることができる、マウスパッドを提供することにある。
【課題を解決するための手段】
【０００５】
上述の目的を達するため、本考案のマウスパッドは、マウスパッド本体を含み、その表面に少なくとも１つの近距離無線通信（ＮＦＣ）タグが設置され、該近距離無線通信（ＮＦＣ）タグ表面に上層構造体が設置され、かつ該近距離無線通信（ＮＦＣ）タグを被覆する。
【０００６】
本考案の一実施例によれば、そのうち、該近距離無線通信（ＮＦＣ）タグには、商品情報、商品ウェブアドレスまたは関連商品サービス情報が書き込まれる。
【０００７】
本考案の一実施例によれば、そのうち、該上層構造体に、該近距離無線通信（ＮＦＣ）タグに対応して設けられた識別構造体が設置される。
【０００８】
本考案の一実施例によれば、そのうち、該識別構造体が、商品スタイル、模様、文字または色のいずれかを含む。
【図面の簡単な説明】
【０００９】
【図１】本考案の最良の実施例の立体外観図である。
【図２】本考案の最良の実施例の立体分解図である。
【図３】本考案の最良の実施例の使用状態の外観図である。
【考案を実施するための形態】
【００１０】
以下、具体的な実施例を挙げて本考案の実施方法を説明する。この技術分野を熟知した者であれば本明細書に開示された内容から本考案のその他利点と効果を容易に理解できるであろう。
【００１１】
本明細書に添付の図面に描かれた構造、比率、大きさ等はいずれも明細書に記載された内容と組み合わせ、この技術を熟知する人物の理解と閲読に供するものであり、本考案の実施可能な限定条件を限定するものではないため、技術上の実質的意義はなく、あらゆる構造の修飾、比率関係の変更または大きさの調整は、本考案の発生できる効果と達成できる目的に影響しないことを前提に、すべて本考案の開示する技術内容でカバーできる範囲内に含まれる。同時に、本明細書において用いられる「１つ」、「２つ」、「上」などの用語も、説明を明瞭にするためのものであり、本考案の実施可能な範囲を限定するために用いるものではなく、その相対関係の変化や調整も、技術内容を実質的に変更しない場合、本考案の実施可能な範疇に含まれる。
【００１２】
図１と図２に、本考案の最良の実施例の立体外観図と立体分解図をそれぞれ示す。本考案の商品情報を有するマウスパッドは、マウスパッド１が主に、マウスパッド本体１０と、近距離無線通信（ＮＦＣ）タグ１２と、上層構造体１４を含み、そのうち、近距離無線通信（ＮＦＣ）タグ１２がマウスパッド本体１０表面に設置され、該近距離無線通信（ＮＦＣ）タグ１２表面上に上層構造体１４が設置され、かつ近距離無線通信（ＮＦＣ）タグ１２を被覆し、そのうち、近距離無線通信（ＮＦＣ）タグ１２には商品情報、商品ウェブアドレスまたは関連商品サービス情報を書き込むことができ、かつ上層構造体１４に近距離無線通信（ＮＦＣ）タグ１２に対応して設けられた識別構造体１４０が設置され、識別構造体１４０が商品スタイル、模様、文字または色のいずれかを含む。
【００１３】
併せて図３に示す本考案の最良の実施例の使用状態の外観図を参照する。図から分かるように、本考案のマウスパッド１を使用するときは、まず近距離無線通信（ＮＦＣ）タグに商品情報３を書込み、使用者がスマート携帯端末２中のNFC読取り機能をオンにした後、スマート携帯端末２を近距離無線通信（ＮＦＣ）タグ１２に近付け、スマート携帯端末２で近距離無線通信（ＮＦＣ）タグ１２中の商品情報３を表示する。上述の手順から分かるように、本考案における近距離無線通信（ＮＦＣ）タグ１２には、企業が商品情報、商品ウェブアドレスまたは関連商品サービス情報を書き込むことができ、近距離無線通信（ＮＦＣ）タグ１２を一般的に常用されるマウスパッド１中に設置し、上層構造体１４を利用して識別構造体１４０を設置することで、使用者がマウスパッド１のどの位置に近距離無線通信（ＮＦＣ）タグ１２が設置されているかを一目瞭然に知ることができ、同時に識別構造体１４０のスタイルを運用して、近距離無線通信（ＮＦＣ）タグ１２がどの方面の商品であるかを表現でき、使用者が上述の手順に従い読み取ることができる。
【００１４】
まず使用者はスマート携帯端末２中のＮＦＣ読取り機能で近距離無線通信（ＮＦＣ）タグ１２を読取り、これによりスマート携帯端末２で近距離無線通信（ＮＦＣ）タグ１２中の商品情報３を表示させ、かつ該商品に適合する関連ウェブページに直接リンクすることができ、基本的なマウスパッドの用途のほか、近距離無線通信（ＮＦＣ）タグ１２の技術を運用して各種異なる商品情報３を書込み、商品マーケティングに用いることが可能となり、基本的なマウスパッドの機能に留まらず、マウスパッド１の応用をより多元的にすることができる。
【００１５】
上述の実施例は例示的に本考案の原理及びその効果を説明したものであり、本考案を制限するものではない。関連技術を熟知する者であれば本考案の要旨と範疇を逸脱せずに、上述の実施例に対して変更が可能であろう。したがって、本考案の権利保護範囲は、後述の実用新案登録請求の範囲に記載されたとおりである。
【符号の説明】
【００１６】
１  マウスパッド
１０  マウスパッド本体
１２  近距離無線通信（ＮＦＣ）タグ
１４  上層構造体
１４０  識別構造体
２  スマート携帯端末
３  商品情報
【図１】
0003220279.tif 000003
【図２】
0003220279.tif 000004
【図３】
0003220279.tif 000005